(57)【要約】  【課題】  スリーブ内に挿着した歯科処置工具に対する回転方向及びスラスト方向からの保持力を更に確かなものにできる歯科用ハンドピース、これに用いる歯科処置工具及び工具保持機構を提供する。  【解決手段】  歯科処置工具を受理するスリーブは、歯科処置工具を着脱自在に保持するためスリーブ内に摺動可能に設けられた工具保持部材を含み、工具保持部材と歯科処置工具とには、スリーブ内における歯科処置工具の回転方向及びスラスト方向への相対的な動きをそれぞれ抑制するべく相互に係合する係合部が、スリーブ及び歯科処置工具にそれぞれ設けられた。【選択図】  図１
2006122080.tif 000002
【特許請求の範囲】
【請求項１】
歯科処置工具を受理するスリーブを回転可能に支承し、該スリーブを回転駆動する手段を備える歯科用ハンドピースにおいて、
前記スリーブは、前記歯科処置工具を着脱自在に保持するためスリーブ内に摺動可能に設けられた工具保持部材を含み、該工具保持部材と前記歯科処置工具とには、スリーブ内における歯科処置工具の回転方向及びスラスト方向への相対的な動きをそれぞれ抑制するべく相互に係合する係合部が、スリーブ及び歯科処置工具にそれぞれ設けられたものである歯科用ハンドピース。
【請求項２】
前記スリーブ内における歯科処置工具の回転方向への相対的な動きを抑制する係合部が、歯科処置工具の後端に形成された多角柱部と、該多角柱部に係合するように工具保持部材内に形成された多角筒部とからなる請求項１に記載の歯科用ハンドピース。
【請求項３】
前記スリーブ内における歯科処置工具のスラスト方向への相対的な動きを抑制する係合部が、歯科処置工具において直径が他の箇所よりも比較的細く形成された細径部と、工具保持部材に形成された孔に嵌められて該細径部に係合するように設けられた凸部材とからなり、前記スリーブには前記凸部材に外側から当接して内部に向かって押して前記細径部に圧着可能にするテーパ部が設けられたことを特徴とする請求項１に記載の歯科用ハンドピース。
【請求項４】
請求項１の歯科用ハンドピースに使用可能な歯科処置工具であって、患部を切削するための切削刃が軸先端に形成され、該軸の後端には多角柱部が形成され、該軸の中間部には直径が他の箇所よりも比較的細く形成された細径部が形成されたことを特徴とする歯科処置工具。
【請求項５】
請求項１の歯科用ハンドピースに使用可能な歯科処置工具の保持機構であって、
該保持機構は、歯科処置工具を受理するスリーブ内に摺動可能に設けられた工具保持部材を含み、該工具保持部材内の後端近傍に多角筒部が形成され、外周部に複数の孔が形成され、該各孔にそれぞれ凸部材が嵌められ、該各凸部材に外側から当接してこれらを内部に向かって押すためのテーパ部が前記スリーブに設けられたものである工具保持機構。
【発明の詳細な説明】
【技術分野】
【０００１】
本発明は、歯科用ハンドピース、これに用いる歯科処置工具及び工具保持機構に関する。
【背景技術】
【０００２】
従来の歯科用ハンドピースとしては、例えば、図５に示したものが知られている。この歯科用ハンドピース７０はスリーブが圧縮空気により回転駆動されるものであり、スリーブを構成するローター軸７２には、その下端開口７２ａ付近にコイルスプリング７３が挿設され、コイルスプリング７３の上端に接触するように工具保持部材８０が挿設され、管状のテーパ部材７５がローター軸７２の上端から螺着されて工具保持部材８０とローター軸７２のクリアランスを埋めている。このテーパ部材７５の下端内周には下方に向けて拡径するテーパ７５ａが形成されている。
工具保持部材８０は、図６の斜視図で示したように、上方管状部８１と、外周面が一端に向けて拡径するように形成された拡径部８２と、この拡径部８２の下方に設けられた環状部８３とを備え、これら上方管状部８１と拡径部８２と環状部８３とは円周溝８４，８５を介して一体に形成され、拡径部８２には三箇所にスリット８６が刻設され、このスリット８６には小片８７が嵌められる。
歯科処置工具９０は、図７に示したように、軸９１が先端の切削刃９２に向けて縮径し、中間部から後端９３にかけては同じ軸径に形成されている。
【０００３】
上記構成のスリーブでは、工具保持部材８０がコイルスプリング７３により上方に付勢されているため、各小片８７はテーパ７５ａに接触して内側に押され、スリーブに挿入された歯科処置工具９０を押圧し、これにより、歯科処置工具９０を保持している。
【０００４】
なお、工具保持部材に刻設したスリットに小片を嵌め込み、この小片で歯科処置工具を把持する構成は、本出願人の実公昭６１−３０６５０号公報（特許文献１）に記載されている。本出願人は、これ以外にも歯科処置工具の保持機構に関連する出願を行っており、それが特開２００２−３４５８４４号公報（特許文献２）に記載されている。
【特許文献１】実公昭６１−３０６５０号公報
【特許文献２】特開２００２−３４５８４４号公報
【発明の開示】
【発明が解決しようとする課題】
【０００５】
本発明は、上記従来技術における歯科処置工具の保持機構を、さらに改善せんとしたものであり、その課題は、スリーブ内に挿着した歯科処置工具に対する回転方向及びスラスト方向からの保持力を更に確かなものにできる歯科用ハンドピース、これに用いる歯科処置工具及び工具保持機構を提供することにある。
【課題を解決するための手段】
【０００６】
上記課題を解決するために、本発明では、歯科処置工具を受理するスリーブを回転可能に支承し、該スリーブを回転駆動する手段を備える歯科用ハンドピースにおいて、前記スリーブは、前記歯科処置工具を着脱自在に保持するためスリーブ内に摺動可能に設けられた工具保持部材を含み、該工具保持部材と前記歯科処置工具とには、スリーブ内における歯科処置工具の回転方向及びスラスト方向への相対的な動きをそれぞれ抑制するべく相互に係合する係合部が、スリーブ及び歯科処置工具にそれぞれ設けられたものである歯科用ハンドピースが提供される。
【０００７】
上記歯科用ハンドピースにおける係合部としては、例えば、歯科処置工具の後端に形成した多角柱部と、この多角柱部に係合するように工具保持部材内に形成した多角筒部とから構成することができる。このような係合部を備える歯科用ハンドピースでは、歯科処置工具をスリーブ内に挿入するときに、歯科処置工具の多角柱部が工具保持部材内の多角筒部に係合し、スリーブ内における歯科処置工具の空回り等、回転方向への相対的な動きを抑制することができる。
【０００８】
さらに、歯科用ハンドピースにおける係合部としては、例えば、他の箇所よりも比較的細い細径部を歯科処置工具に形成し、工具保持部材には複数の孔を形成し、各細径部に係合する凸部材をこれらの孔に嵌め、凸部材を外側から押して細径部に圧着可能にするテーパ部をスリーブに設ける構成とすることができる。この係合部を備える歯科用ハンドピースでは、歯科処置工具をスリーブ内に挿入するときに、工具保持部材をスリーブ内で摺動させ、凸部材をテーパ部に接触させて外側から内側に向けて押し、凸部材を細径部に係合させ、スリーブ内における歯科処置工具のスラスト方向への位置ずれ等の相対的な動きを抑制するものである。
【０００９】
本発明では、上記歯科用ハンドピースに使用可能な歯科処置工具であって、患部を切削するための切削刃が軸先端に形成され、該軸の後端には多角柱部が形成され、該軸の中間部には直径が他の箇所よりも比較的細く形成された細径部が形成されたことを特徴とする歯科処置工具が提供される。
【００１０】
また本発明では、上記歯科用ハンドピースに使用可能な歯科処置工具の保持機構であって、該保持機構は、歯科処置工具を受理するスリーブ内に摺動可能に設けられた工具保持部材を含み、該工具保持部材内の後端近傍に多角筒部が形成され、外周部に複数の孔が形成され、該各孔にそれぞれ凸部材が嵌められ、該各凸部材に外側から当接してこれらを内部に向かって押すためのテーパ部が前記スリーブに設けられたものである工具保持機構が提供される。
【発明の効果】
【００１１】
本発明の歯科用ハンドピースでは、歯科処置工具とスリーブとの係合部どうしが係合し、スリーブ内における歯科処置工具の空回り等の回転方向への動きが抑制できると共に、歯科処置工具のスラスト方向への位置ずれ等の相対的な動きも抑えることができる。
【発明を実施するための最良の形態】
【００１２】
以下、本発明の一実施形態を図面に基づいて説明する。
図１及び図２は本発明の歯科用ハンドピースにおけるヘッド部分の断面図であり、図１は歯科処置工具が外されている状態を示し、図２は歯科処置工具が挿着されている状態を示している。
本発明の歯科用ハンドピース１０は、把持部（図示せず）の先端の首部１１に図１のヘッド部１２が設けられ、この首部１１及び把持部に圧縮空気の給気通路（図示せず）と排気通路（図示せず）が設けられ、これを通して供給される圧縮空気によりスリーブが回転駆動されるものである。このヘッド部１２は、歯科処置工具１３を受理して着脱自在に保持するスリーブとしてのローター軸１４、テーパ部材１５及び工具保持部材１６を有し、ローター軸１４には、圧縮空気によってスリーブを回転駆動するためにローター１８が設けられ、スリーブを回転可能に支承するためボールベアリング１９，２０がローター軸１４の上方及び下方に設けられ、これらの構成がカートリッジケース２１内に収納され、このカートリッジケース２１の外周にヘッドハウジング２２が設けられ、このヘッドハウジング２２にヘッドキャップ２３が螺合され、さらに、このヘッドキャップ２３にスプリング２４とプッシュボタン２５が設けられている。
【００１３】
前記ローター軸１４には、その下端開口１４ａ付近にコイルスプリング２６が挿設され、工具保持部材１６がコイルスプリング２６の上端に接するように挿設され、テーパ部材１５がローター軸１４の上端から挿設されてリングネジ１７によりローター軸１４に固定されている。このテーパ部材１５の下端内周には下方に向けて拡径するテーパ１５ａが形成されている。
【００１４】
歯科処置工具１３は、患部を切削するための切削刃１３ａが軸先端に形成され、軸後端には多角柱部１３ｂが形成され、軸の中間部には直径が他の箇所よりも比較的細い細径部１３ｃが形成されている。
ここで、多角柱部１３ｂとしては、例えば、ボルトの頭に見られるような六角柱形状に形成することができる。また細径部１３ｃは、その前後の軸部分１３ｄ，１３ｅよりも細く形成すれば良く、例えば、細径部１３ｃを直径１．５５ｍｍ、前後の軸部分１３ｄ，１３ｅを１．６０ｍｍに形成することができる。
【００１５】
工具保持部材１６は、歯科処置工具１３を受理できるように筒状に形成された部材であり、内部には多角筒部１６ａが形成されている。この多角筒部１６ａは、歯科処置工具１３の多角柱部１３ｂが係合可能な形状に形成されている。
なお、工具保持部材１６は、多角筒部１６ａが設けられている以外には、図６の従来品とほぼ同様の構成を有するものであり、外周面が一端に向けて拡径するように形成された拡径部１６ｂを備え、拡径部１６ｂには三箇所にスリット１６ｃが刻設され、このスリット１６ｃには小片２７が嵌められている。この小片２７は、上下端２７ａ，２７ｂが拡径部１６ｂに係止するように形成され、内周面２７ｃが歯科処置工具１３の細径部１３ｃに圧着するように形成され、外周面２７ｄが拡径部１６ｂよりも若干外側に出るようにほぼ同じ傾斜に形成されている。
【００１６】
次に、図１及び図２の歯科用ハンドピース１０の作用について説明する。
図１において、工具保持部材１６がコイルスプリング２６により上方に付勢されているため、各小片２７の外周面２７ｄがテーパ１５ａに接触して内側に押されている。
ヘッド部１２のプッシュボタン２５を押し下げると、これが工具保持部材１６の上端部に当接し、工具保持部材１６はコイルスプリング２６の力に抗しながら、ローター軸１４とテーパ部材１５の孔内を下方に摺動する。この摺動により、各小片２７がテーパ１５ａから受けている押圧力から解除され、各小片２７の内径がわずかに拡大する。そして、歯科処置工具１３をローター軸１４に挿入し、多角柱部１３ｂが多角筒部１６ａに係合するまで押し込み、プッシュボタン２５を押し下げる力を解除すると、工具保持部材１６はコイルスプリング２６により上方に付勢され、各小片２７の外周面はテーパ１５ａに当接して押圧力を受け、図２に示したように、内周面２７ｃが歯科処置工具１３の細径部１３ｃに圧着する。
歯科用ハンドピース１０では、以上のように歯科処置工具１３の多角柱部１３ｂが、工具保持部材１６の多角筒部１６ａに係合することにより、歯科処置工具１３の空回り等の回転方向への動きが抑制される。また各小片２７の内周面２７ｃが歯科処置工具１３の細径部１３ｃに圧着することにより、歯科処置工具１３のスラスト方向への位置ずれ等の動きが抑制される。
【００１７】
次に、図３及び図４は、図１及び図２とは異なる実施形態の歯科用ハンドピース４０におけるヘッド部分１２の断面図であり、図３は歯科処置工具３３が外されている状態を示し、図４は歯科処置工具３３が挿着されている状態を示している。以下、図３及び図４の実施形態に関しては、主に、図１及び図２とは異なる構成について説明する。
図３の歯科用ハンドピース４０における工具保持部材３６では、図１及び図２における小片２７に替えて球体３７が使用され、スリット１６ｃに替えて球体係合孔３６ｃが形成されており、これら以外の構成は図１及び図２とほぼ同様に形成されている。球体係合孔３６ｃは、拡径部３６ｂの外周側から内周側に貫通する孔であり、外周側が内周側よりも若干大きく形成されている。つまり、球体係合孔３６ｃは、拡径部３６ｂの外周側から球体３７を球体係合孔３６ｃに着脱することができて、且つ球体係合孔３６ｃの内周側からは球体３７が抜け落ちないように形成されている。
また図３の歯科処置工具３３では、細径部１３ｃに替えて球体係合溝３３ｃが形成されており、これ以外の構成（切削刃３３ａや多角柱部３３ｂ等）は図１及び図２とほぼ同様に形成されている。この球体係合溝３３ｃは、球体係合孔３６ｃの内周側に突き出た球体３７が係合するように相補な曲面に形成された溝であり、その前後の軸部分３３ｄ，３３ｅよりも細く形成されている点で、細径部と言い得る部分である。
【００１８】
次に、図３及び図４の歯科用ハンドピース４０の作用について説明する。
図３において、工具保持部材３６がコイルスプリング２６により上方に付勢されているため、各球体３７はテーパ１５ａに接触して内側に押されている。
ヘッド部１２のプッシュボタン２５を押し下げると、工具保持部材３６は下方に摺動し、各球体３７がテーパ１５ａから受けている押圧力から解除され、各球体３７は球体係合孔３６ｃ内でわずかに動くことが可能になる。そして、歯科処置工具３３をローター軸１４に挿入し、多角柱部３３ｂが多角筒部３６ａに係合するまで押し込み、プッシュボタン２５を押し下げる力を解除すると、工具保持部材３６はコイルスプリング２６により上方に付勢され、各球体３７はテーパ１５ａに当接して押圧力を受け、図４に示したように、各球体３７が歯科処置工具３３の球体係合溝３３ｃに係合する。
以上のように工具保持部材３６の各球体３７が、歯科処置工具３３の球体係合溝３３ｃに係合することにより、歯科処置工具１３のスラスト方向への位置ずれ等の動きが抑制される。
【図面の簡単な説明】
【００１９】
【図１】本発明の歯科用ハンドピースにおけるヘッド部分の断面図である。
【図２】図１の歯科用ハンドピースにおいて、歯科処置工具が挿着された状態の断面図である。
【図３】図１及び図２とは異なる実施形態の断面図である。
【図４】図３の歯科用ハンドピースにおいて、歯科処置工具が挿着された状態の断面図である。
【図５】従来の歯科用ハンドピースの断面図である。
【図６】図５の歯科用ハンドピースにおける工具保持部材の斜視図である。
【図７】従来の歯科処置工具の側面図である。
【符号の説明】
【００２０】
１０  歯科用ハンドピース
１３  歯科処置工具
１３ａ  切削刃
１３ｂ  多角柱部（係合部）
１３ｃ  細径部
１４  ローター軸（スリーブ）
１５  テーパ部材（スリーブ）
１５ａ  テーパ部
１６  工具保持部材（スリーブ）
１６ａ  多角筒部（係合部）
１６ｂ  拡径部
１６ｃ  スリット
１８  ローター（スリーブ回転駆動手段）
２７  小片（凸部材）
３３  歯科処置工具
３３ａ  切削刃
３３ｂ  多角柱部（係合部）
３３ｃ  球体係合溝（係合部）
３６  工具保持部材
３６ａ  多角筒部（係合部）
３６ｂ  拡径部
３６ｃ  球体係合孔
３７  球体（凸部材）
４０  歯科用ハンドピース
【図１】
2006122080.tif 000003
【図２】
2006122080.tif 000004
【図３】
2006122080.tif 000005
【図４】
2006122080.tif 000006
【図５】
2006122080.tif 000007
【図６】
2006122080.tif 000008
【図７】
2006122080.tif 000009